(57)【特許請求の範囲】
【請求項１】
凹部を有する樹脂製トレイに内蔵された容積可変型のエアクッションからなるクッション体と、
前記クッション体の主面に設けられて左右に延びるバンド体と、
前記バンド体の一端において、前記クッション体と反対側の面に設けられた雄型又は雌型の面ファスナと、
前記バンド体の他端において、前記クッション体側の面に設けられた雌型又は雄型の面ファスナと、
を有し、
前記トレイは前記クッション体の前記主面側に位置し、着座する使用者の腰部に前記クッション体が接するように、前記クッション体を前記使用者の腰部及び椅子の背面のいずれにも装着可能であること、
を特徴とするクッション。
【請求項２】
前記使用者の腰部に接する部分に、配列した複数の磁石を有するシートを内蔵可能なポケットを有すること、
を特徴とする請求項１に記載のクッション。
【発明の詳細な説明】
【技術分野】
【０００１】
本発明は、椅子にも腰部にも着脱可能なクッションに関する。
【背景技術】
【０００２】
従来から、椅子に座った際に腰痛を防止するためのクッションが種々考案されている。
【０００３】
例えば特許文献１（特許第５４６６３３２号明細書）においては、「カーシートやオフィスチェアだけではなく、様々なデザインのイスにも容易に着脱可能な腰痛防止用クッションを提供する。」ことを目的とした腰痛防止用クッションが提案されている。
【０００４】
より具体的には、「背部支持体及び腰部クッション体を有する腰痛防止用クッションであって、前記背部支持体の上端部は、係脱可能な係合片によって環状構造を形成する第１係合部を備え、前記背部支持体の下端部は、該下端部の裏面部を前記背部支持体の裏面部に係止する係止部を備え、前記腰部クッション体は、前記背部支持体において前記腰部クッション体の移動を可能にし、かつ、前記腰部クッション体を前記背部支持体に連結する連結部を備える、前記腰痛防止用クッション。」が提案されている。
【０００５】
また、例えば特許文献２（特開２０１１−２１８００８号公報）においては、「人体の左右における傾きを矯正可能であるエアクッションを提供すること」を目的としたエアクッションが提案されている。
【０００６】
より具体的には、「左右方向に並列して配置され、各支持部それぞれに備わる気体を導入または排出する気体導排部を介して気体が充填されることにより扁平状から厚み方向に膨らんだ状態に形状が変化し、着座者の臀部および太腿部近傍を支持する右側支持部および左側支持部を備えるエアクッション」が提案されている。
【先行技術文献】
【特許文献】
【０００７】
【特許文献１】特許第５４６６３３２号明細書
【特許文献２】特開２０１１−２１８００８号公報
【発明の概要】
【発明が解決しようとする課題】
【０００８】
ここで、腰痛を抱えている人や長時間運転をする人が腰痛を発生した人にとっては、腰部に対して直接押圧力を加えると好適に腰痛を防止したり和らげたりすることができるところ、その押圧力を加えるべき領域には個人差がある。
【０００９】
これに対し、上記特許文献１に記載の腰痛防止用クッションの場合は、上下方向において移動可能であるものの左右方向においては移動不可であり、使用者は必ずしも自分の腰部において好適な領域に当該腰痛防止用クッションを位置決めできないという問題がある。また、容積が一定であるため、腰部に加わる押圧力を調整できないという問題もある。
【００１０】
他方、上記特許文献２に記載のエアクッションは、椅子に座っている使用者の臀部の下に敷いて用いられるものであり、左右における傾きを矯正可能とすることによって腰痛を防止するものであるが、直接腰部に押圧力を加えるものではなく、また、使用者は必ずしも自分の腰部において好適な領域に位置決めできないという問題がある。
【００１１】
そこで、本発明の目的は、使用者が自分の腰部において好適な領域に位置決めすることができ、また、腰部に加わる押圧力を調整することのできるクッションを提供することにある。
【課題を解決するための手段】
【００１２】
上述した課題を解決すべく提供される本発明は、
クッション体と、
前記クッション体の主面に設けられて左右に延びるバンド体と、
前記バンド体の一端において、前記クッション体と反対側の面に設けられた雄型又は雌型の面ファスナと、
前記バンド部の他端において、前記クッション体側の面に設けられた雌型又は雄型の面ファスナと、
を有し、
着座する使用者の腰部に前記クッション体が接するように、前記クッションを前記使用者の腰部及び椅子の背面のいずれにも装着可能であること、
を特徴とするクッションを提供する。
【００１３】
このような構成を有する本発明のクッションによれば、着座する使用者の腰部に前記クッション体が接するように、前記クッション体を椅子の背面及び前記使用者の腰部のいずれにも装着可能であり、これにより、使用者が自分の腰部において好適な領域に位置決めすることができ、腰部において所望する適切な箇所に適度な押圧力がかかるようにすることができる。
【００１４】
また、上記の本発明のクッションにおいては、前記クッション体が、空気バルブ及び気密性袋体で構成される容積可変型のエアクッションを含むこと、が好ましい。
【００１５】
このような構成を有する本発明のクッションによれば、より確実に腰部に加わる押圧力を調整することができ、腰痛を防止又は抑制することができる。
【００１６】
更に、上記の本発明のクッションは、前記使用者の腰部に接する部分に、配列した複数の磁石を有するシートを内蔵可能なポケットを有すること、が好ましい。
【００１７】
このような構成を有する本発明のクッションによれば、着座する使用者の腰部に対して、押圧力だけでなく磁力を印加することができ、これにより腰痛を防止又は抑制することができる。
【発明の効果】
【００１８】
本発明によれば、使用者が自分の腰部において好適な領域に位置決めすることができ、また、腰部に加わる押圧力を調整することのできるクッションを提供することができる。
【図面の簡単な説明】
【００１９】
【図１】本発明のクッションの一実施形態の概略斜視図である。
【図２】図１に示すクッション１のクッション体２に含まれるエアクッション
【図３】図１に示すクッション１を使用者の腰部に装着した様子を示す概略斜視図である。
【図４】図１に示すクッション１を椅子に装着した様子を示す概略斜視図である。
【図５】図１に示すクッション１に複数の磁石を有するシートを挿入する様子を示す概略斜視図である。
【発明を実施するための形態】
【００２０】
続いて、本発明のクッションの一実施形態について、図面を参照しながら詳細に説明する。ただし、本発明はこれらのみに限定されるものではない。また、以下の説明では、同一又は相当部分には同一符号を付し、重複する説明は省略することもある。図面は、本発明を概念的に説明するためのものであるから、理解容易のために、必要に応じて寸法、比又は数を誇張又は簡略化して表している場合もある。
【００２１】
本実施形態のクッション１は、図１に示すように、略直方体状のクッション体２と、クッション体２の略長方形状の主面２ａに設けられて左右に延びるバンド体４と、バンド体４の一端において、クッション体２と反対側の面に設けられた雄型（又は雌型）の面ファスナ４ａと、バンド部４の他端において、クッション体２側の面に設けられた雌型（又は雄型）の面ファスナ４ｂと、を有している。
【００２２】
このような構成を有する本実施形態のクッション１は、図３又は図４に示すように使用することができる。即ち、着座する使用者の腰部にクッション体２が接するように、クッション１を使用者Ｘの腰部及び椅子Ｙの背面のいずれにも装着可能であり、これにより、使用者Ｘが自分の腰部において好適な領域に位置決めすることができ、腰部において所望する適切な箇所に適度な押圧力がかかるようにすることができる。
【００２３】
図１に示す本実施形態のクッション１をより詳細に説明すると、本実施形態におけるクッション体２は略直方体状であるが、基本的には、使用者の腰部に接する主面２ａを有していればよく、例えば略立方体状や略球状であってもよい。
【００２４】
クッション体２の略長方形状の主面２ａに設けられて左右に延びるバンド体４は、本実施形態においては、クッション体２の高さと略同一の幅を有しており、その略中心部分においてクッション体２と例えば縫製又は接着等の方法によって接続されている。このバンド体４は、クッション体２を含むクッション１を使用者の腰部又は椅子の背面に固定して装着するものであるため、伸縮性を有するものである。
【００２５】
また、バンド体４の一端には、クッション体２と反対側の面に雄型（又は雌型）の面ファスナ４ａが縫製により設けられており、バンド部４の他端には、クッション体２側の面に雌型（又は雄型）の面ファスナ４ｂが縫製により設けられている。
【００２６】
面ファスナ４ａは略半円状であり、面ファスナ４ｂは略半円状の面ファスナ４ａの面積よりも十分に大きな面積を有する形状を有している。これにより、面ファスナ４ａが面ファスナ４ｂに接着される位置を適宜調整し、使用者Ｘの腰部や椅子Ｙの背面に装着する際にバンド体４の長さを適宜調整することができる。
【００２７】
次に、本実施形態のクッション１においては、クッション体２がエアクッション１４を含んでいる。このエアクッション１４は、空気バルブ６、空気バルブ６に接続された可撓性のパイプ８、パイプ８に接続された例えばポリウレタン又はポリ塩化ビニル製の気密性袋体１０、気密性袋体１０に内蔵されている例えばポリウレタン製のスポンジ体１２、とで構成されている。
【００２８】
エアクッション１４は、空気バルブ６によって気密性袋体１０内の空気を出し入れすることにより、その容積を変えることができる。また、気密性袋体１０への空気の出し入れの際にスポンジ体１２の気泡にも空気が出し入れされるため、スポンジ体１２の体積の変化を伴って気密性袋体１０の容積も緩やかに変動させることができ、腰部に確実にフィットさせてより確実に腰部に加わる押圧力を調整することができ、腰痛を防止又は抑制することができる。
【００２９】
また、エアクッション１４は、例えばポリウレタン等の樹脂製の凹部を有するトレイ１６にはめ込まれた状態で、クッション体２に内蔵される。このようなトレイ１６にはめ込まれていることにより、エアクッション１４の位置がクッション体２内でむやみに変動するのを抑制することができる。なお、トレイ１６は、使用者Ｘの腰部に接するクッション体２の主面２ａ側に位置するものである。
【００３０】
ここで、本実施形態のクッション１においては、図１及び図５に示すように、使用者Ｘの腰部に接する部分に、配列した複数の磁石１８ａを有するシート１８を内蔵可能なポケット２ｂを有する。
【００３１】
本実施形態における磁石１８ａは、略円盤状の永久磁石であり、複数個が等間隔に配列しており、シート１８は、クッション体２の主面２ａと反対側の面に凸状に位置するように、ポケット２ｂに収納されるように構成されている。なお、図５においては、ポケット２ｂが２つ設けられているが、一方にのみシート１８が挿入される様子を示している。
【００３２】
このようなシート１８がクッション体２のポケット２ｂに挿入されることにより、着座する使用者の腰部に対して、押圧力だけでなく磁力をも印加することができ、これにより腰痛をより確実に防止又は抑制することができる。
【００３３】
以上、本発明のクッションの代表的な実施形態について説明したが、本発明はこれらのみに限定されるものではなく、特許請求の範囲に記載された本発明の技術的思想の範囲内で種々の設計変更が可能であり、かかる設計変更した態様は全て本発明に含まれるものである。
【産業上の利用可能性】
【００３４】
本発明のクッションは、腰痛の予防及び抑制に効果的であるため、例えば電車、自動車及び飛行機等において長時間座る必要のある場合に好適に用いることができる。したがって、例えば駅、サービスエリア及び空港等での販売に適しているといえる。
【符号の説明】
【００３５】
１・・・クッション、
２・・・クッション体、
４・・・バンド体４、
６・・・空気バルブ、
８・・・パイプ、
１０・・・気密性袋体、
１２・・・スポンジ体、
１４・・・エアクッション、
１６・・・トレイ、
１８・・・シート。
【要約】
【課題】使用者が自分の腰部において好適な領域に位置決めすることができ、また、腰部に加わる押圧力を調整することのできるクッションを提供することを目的とする。
【解決手段】クッション体と、前記クッション体の主面に設けられて左右に延びるバンド体と、前記バンド体の一端において、前記クッション体と反対側の面に設けられた雄型又は雌型の面ファスナと、前記バンド部の他端において、前記クッション体側の面に設けられた雌型又は雄型の面ファスナと、を有し、着座する使用者の腰部に前記クッション体が接するように、前記クッションを前記使用者の腰部及び椅子の背面のいずれにも装着可能であること、を特徴とするクッションを提供する。
【選択図】図１【図１】
0005729848.tif 000002
【図２】
0005729848.tif 000003
【図３】
0005729848.tif 000004
【図４】
0005729848.tif 000005
【図５】
0005729848.tif 000006